(57)【要約】【課題】構成が簡易で、かつ、使用時にごみを発生させることなく、隣接する収容部間の連通処理を、判別が容易な表示で喚起することのできる複室容器を提供すること。【解決手段】薬剤を収容する複数の薬剤収容部１１と、互いに隣接する各薬剤収容部１１間を開封可能に封止する仕切り部１２と、を備える複室容器１０において、各薬剤収容部１１の少なくともいずれかに、互いに隣接する各薬剤収容部１１に収容される各薬剤が混合された混合液を重ね合わせたときに、視認性が相対的に変化する表示部１５を設ける。また、表示部１５を、仕切り部１２の開封を喚起させる表示とする。【選択図】図１
0003126232.tif 000002
【実用新案登録請求の範囲】
【請求項１】
薬剤を収容する複数の薬剤収容部と、
互いに隣接する各前記薬剤収容部の間を開封可能に封止する仕切り部と、
互いに隣接する各前記薬剤収容部の少なくとも一方に設けられ、前記仕切り部の開封によって、互いに隣接する各前記薬剤収容部に収容される各前記薬剤が混合された混合液が重ね合わされることにより、視認性が相対的に変化する表示部と、
を備えていることを特徴とする、複室容器。
【請求項２】
前記表示部は、前記混合液が重ね合わされることにより、視認性が低下することを特徴とする、請求項１に記載の複室容器。
【請求項３】
互いに隣接する各前記薬剤収容部に収容される各前記薬剤のうち、少なくとも一方の薬剤は、有色であることを特徴とする、請求項１または２に記載の複室容器。
【請求項４】
互いに隣接する各前記薬剤収容部に収容される各前記薬剤のうち、一方の薬剤は、有色であり、他方の薬剤は、無色であることを特徴とする、請求項３に記載の複室容器。
【請求項５】
互いに隣接する各前記薬剤収容部に収容される各前記薬剤のうち、一方の薬剤は、黄色の薬液であり、他方の薬剤は、無色の薬液であることを特徴とする、請求項４に記載の複室容器。
【請求項６】
前記表示部は、無色の薬液が収容されている薬液収容部に設けられていることを特徴とする、請求項４または５に記載の複室容器。
【請求項７】
前記表示部の色は、有色の前記薬剤の色と、同系色であることを特徴とする、請求項３〜６のいずれかに記載の複室容器。
【請求項８】
前記表示部の表示が、前記仕切り部の開封を喚起させる表示であることを特徴とする、請求項１〜７のいずれかに記載の複室容器。
【請求項９】
前記仕切り部が、弱シール部であることを特徴とする、請求項１〜８のいずれかに記載の複室容器。
【考案の詳細な説明】
【技術分野】
【０００１】
本考案は、複室容器に関し、詳しくは、使用時に混合して用いられる複数の薬剤を、各収容部内に未混合状態で収容するための複室容器に関する。
【背景技術】
【０００２】
静脈注射などの手段で同時に投与される薬剤には、例えば、アミン酸輸液とブドウ糖輸液の組合せ、脂肪乳剤と電解質溶液の組合せ、リン酸含有液とカルシウム含有液の組合せなどのように、互いに混合した状態で保存すれば、薬剤間の相互作用によって、変色、凝集、沈殿などの変質を生じる組合せがある。
そこで、このような薬剤の組合せについては、保存時の変質を防止しつつ、使用時に簡易かつ無菌的な混合を実現するため、各薬剤を区分して収容可能な複数の収容部を備え、使用時に各収容部間を連通可能な複室容器が用いられている。
【０００３】
しかし、近年の医療現場では、医療従事者の負担が過大であるため、例えば、医療従事者が、複室容器の隣接する収容部間の連通処理を忘れる場合があり、複室容器に収容されている複数の薬剤の一部のみが誤って患者に投与されるといった医療事故を生じるおそれがある。
一方、このような医療事故の発生を未然に防止するため、患者への投与前に、隣接する収容部間の連通処理を忘れないように、連通処理を喚起する手段を備えた複室容器が提案されている。
【０００４】
例えば、特許文献１に記載された、弱シール部で区画された複数の薬剤充填室を有する複室容器では、弱シール部が未剥離であることの注意を喚起する警告帯が、弱シール部を剥離したときに、自然に落下するように設定されている。
特許文献２に記載された医療用容器では、相対向する容器外装材の間に形成された薬液収容室を連通可能な複数の収容室に区画する隔壁としての接合部に、この接合部の剥離前後において、外部から視認される表示内容が変化する表示部が形成されている。
【０００５】
特許文献３に記載された袋状輸液容器では、四辺が熱融着されている袋に、容易に剥離できるヒートシール部で隔離された、上下の２つの内容液収納部が設けられており、上記ヒートシール部の袋の表裏両表面に、それぞれ誤使用確認用の異なる識別表示部が設けられている。
特許文献４に記載されたプラスチック容器では、脆弱シールにより容器内部が複数に区画されたプラスチック容器において、脆弱シールの連通前後に異なった模様が現れるように、容器外面の脆弱シール部分に印が付されている。
【０００６】
また、特許文献５に記載された、脆弱シールにより容器内部を複数に区画したプラスチック容器では、容器上室の表面と裏面の外面のそれぞれに印が付されており、この２つの印が、脆弱シールの連通後、相まって特定の意義を有する模様が現れるように設定されている。
【特許文献１】特開２００６−３４７９４号公報
【特許文献２】特開２００５−１２５０６４号公報
【特許文献３】特開２００５−８２３６号公報
【特許文献４】特開２００４−２９２０４１号公報
【特許文献５】特開２００５−５９８５３号公報
【考案の開示】
【考案が解決しようとする課題】
【０００７】
しかるに、特許文献１に記載の複室容器において、上記警告帯は、弱シール部の剥離による自然落下後には不要な部材であるため、複室容器の使用に際して上記警告帯がごみになるという不具合がある。
また、特許文献２に記載された医療用容器、引用文献３に記載された袋状輸液容器および引用文献４に記載されたプラスチック容器では、表示部を形成する部位が、いずれも複室容器における複数の収容室を区画する隔壁部分に相当する部位（特許文献２の接合部、特許文献３のヒートシール部、特許文献４の脆弱シール部）に限定されているために、視認し易い自由な位置に表示部を形成することができない。しかも、この隔壁部分は、本来的に、それほど多くのスペースを有する部位ではない。このため、上記表示部に表示できる情報量が少なくなり、その表示内容の変化も、外部から視認可能であるものの、判別しにくくなる不具合がある。
【０００８】
また、特許文献５に記載のプラスチック容器において、２つの印が相まって特定の意義を有する模様が現れるには、脆弱シールの連通後にプラスチック容器を吊り下げて、上室の内容物を全て下室に移行させつつ、上室（特に、上室の上部）で表面と裏面とがぴったりとくっついた状態とする必要がある。
それゆえ、特許文献５に記載のプラスチック容器を、例えば、台の上に置いて使用するなど、吊り下げずに使用する場合には、上記特定の意義を有する模様が現れないため、同文献に記載された発明の目的を達成できなくなる不具合がある。しかも、プラスチック容器の表面と裏面がくっついた状態にあるときにのみ、特定の意義を有する模様を判別可能とするには、プラスチック容器の表面での印の形成位置と、プラスチック容器の裏面での印の形成位置とを正確に合わせる必要があるため、高い印刷精度が要求され、手間がかかるといった不具合がある。
【０００９】
そこで、本考案の目的は、構成が簡易で、かつ、使用時にごみを発生させることなく、隣接する収容部間の連通処理を、判別が容易な表示で喚起することのできる複室容器を提供することにある。
【課題を解決するための手段】
【００１０】
上記目的を達成するために、本考案の複室容器は、薬剤を収容する複数の薬剤収容部と、互いに隣接する各前記薬剤収容部の間を開封可能に封止する仕切り部と、互いに隣接する各前記薬剤収容部の少なくとも一方に設けられ、前記仕切り部の開封によって、互いに隣接する各前記薬剤収容部に収容される各前記薬剤が混合された混合液が重ね合わされることにより、視認性が相対的に変化する表示部と、を備えていることを特徴としている。
【００１１】
本考案の複室容器の仕切り部を開封して、この仕切り部を挟んで互いに隣接する各薬剤収容部に収容される各薬剤を混合すれば、表示部は、その混合された混合液が重ね合わされることで、視認性が相対的に変化する。そのため、表示部の視認性の相対的変化を確認することによって、仕切り部の開封、および、それに伴う、隣接する収容部間での連通処理の有無を容易に判断することができる。
【００１２】
また、本考案の複室容器では、少なくとも一方の薬剤収容部に表示部を設ければよく、その表示部を設ける際に、印刷精度はさほど要求されず、正確な位置合わせなどの手間が不要である。しかも、表示部は、薬剤収容部において視認し易い自由な位置に、自由な大きさおよび形状で設けることができる。そのため、表示部のより確実な視認性を確保することができる。
【００１３】
さらに、表示部は、仕切り部の開封後も、そのまま薬剤収容部に設けておけばよいことから、ごみの発生を招くことがない。
また、本考案の複室容器において、前記表示部は、前記混合液が重ね合わされることにより、視認性が低下することが好ましい。これは、点滴や注射によって人体内に供与される薬液は、一般に透明であることが多く、一の薬液と、他の薬剤（薬液、粉剤、粒剤など）とを混合したときの薬液の色みの変化としては、主として、無色透明の薬液（色相を有しない透光性薬液）から有色透明の薬液（色相を有する透光性薬液）への変化、無色透明の薬液から不透明（無彩色または有彩色の懸濁した薬液）への変化であることから、表示部に各薬剤が混合された混合液を重ね合わせることで、表示部の視認性が低下するように設定することで、表示部の設計の自由度が高くなり、また、表示部の視認性の相対的変化の判別も、より一層容易となる。
【００１４】
なお、本考案において、「無色透明」とは、色相が全くない状態に限定されるものではなく、ほぼ透明である状態を含む。すなわち、本考案における「無色透明」には、例えば、薬液がわずかに着色されている（色相を有している）ものの、通常の判断力により観察した場合に、とりわけ、「有色透明（色相を有している状態）」である他の薬液と対比して観察した場合に、ほとんど色相がない状態であると判断できる場合を含んでいる。
【００１５】
本考案の複室容器では、表示部の視認性の相対的変化の判別を容易なものにするという観点より、互いに隣接する各前記薬剤収容部に収容される各前記薬剤のうち、少なくとも一方の薬剤は、有色であることが好ましく、互いに隣接する各前記薬剤収容部に収容される各前記薬剤のうち、一方の薬剤は、有色であり、他方の薬剤は、無色であることがより好ましい。また、特に好ましくは、互いに隣接する各前記薬剤収容部に収容される各前記薬剤のうち、一方の薬剤は、黄色の薬液であり、他方の薬剤は、無色の薬液である。
【００１６】
また、本考案の複室容器では、表示部の視認性の相対的変化の判別を容易なものにするという観点より、前記表示部は、無色の薬液が収容されている薬液収容部に設けられていることが好ましく、さらに、前記表示部の色は、有色の前記薬剤の色と、同系色であることが好ましい。
本考案の複室容器では、隣接する収容部間の連通処理の有無に関する注意を、より明確に喚起するという観点より、前記表示部の表示が、前記仕切り部の開封を喚起させる表示であることが好ましい。
【００１７】
本考案の複室容器では、前記仕切り部が、弱シール部であることが好ましい。この場合、仕切り部を介して互いに隣接する各薬剤収容部のいずれか一方を押圧することで、仕切り部を開封して、隣接する収容部間の連通を図ることができる。
【考案の効果】
【００１８】
本考案によれば、互いに隣接する各薬剤収容部に収容される各薬剤が混合された混合液を重ね合わせることで視認性が相対的に変化する表示部を、各上記薬剤収容部の少なくとも一方に設けるという簡易な構成によって、使用時にごみを発生させることなく、隣接する収容部間の連通処理を確実に喚起することができる。
【考案を実施するための最良の形態】
【００１９】
以下、本考案の実施の形態を、添付図面を参照して詳細に説明する。
図１は、本考案の複室容器の一実施形態を示す正面図であり、互いに隣接する各薬剤収容部間の仕切り部を開封していない状態を示している。また、図２および図３は、図１に示す複室容器１０を、この複室容器１０を形成する２枚の樹脂フィルムに分解した分解図であって、図２は、図１の正面視表側の樹脂フィルムを、図１の背面側から見た分解背面図であり、図３は、図１の正面視裏側の樹脂フィルムを、図１の正面側から見た分解正面図である。
【００２０】
図１〜図３において、この複室容器１０は、２枚の樹脂フィルムによって形成され、薬剤が収容される３つの薬剤収容部１１と、互いに隣接する各薬剤収容部１１間に設けられ、互いに隣接する各薬剤収容部１１の間を開封可能に封止する仕切り部１２と、周縁に設けられ、２枚の樹脂フィルムが互いに溶着されている周縁強シール部１３と、各薬剤収容部１１に収容される各薬剤が混合された混合液を複室容器１０から排出するために、周縁強シール部１３において、２枚の樹脂フィルム間に挟みこんで固定される筒部材１４と、３つの薬剤収容部１１のうち、筒部材１４に連通している第１の薬剤収容部１１０において、２枚の樹脂フィルムのいずれか一方の樹脂フィルムの外表面に設けられている表示部１５と、を備えている。
【００２１】
３つの薬剤収容部１１のうち、第１の薬剤収容部１１０と第２の薬剤収容部１１１とは、互いに隣接している。また、第１の薬剤収容部１１０と第２の薬剤収容部１１１との隣接方向１６と直交する幅方向１７において互いに対向する、一対の周縁強シール部１３０間には、本考案の仕切り部に相当する第１の隔壁弱シール部１２０が架設されており、第１の薬剤収容部１１０と第２の薬剤収容部１１１とは、この第１の隔壁弱シール部１２０（仕切り部１２）によって区画されている。
【００２２】
また、３つの薬剤収容部１１のうち、第３の薬剤収容部１１２は、第２の薬剤収容部１１１内に配置された状態で、第２の薬剤収容部１１と互いに隣接している。この第３の薬剤収容部１１２は、仕切り部１２としての第２の隔壁弱シール部１２１によって区画され、平面視略矩形状に形成されている。第３の薬剤収容部１１２を区画する第２の隔壁弱シール部１２１の一辺は、上記隣接方向１６において互いに対向する一対の周縁強シール部１３１，１３２のうち、第２の薬剤収容部１１１側に配置されている周縁強シール部１３１において、複室容器１０を形成する２枚の樹脂フィルムによって挟み込まれた状態で、固定されている。さらに、第２の薬剤収容部１１１内には、複室容器１０を形成する２枚の樹脂フィルムが互いに溶着された補助シール部１８が設けられている。この補助シール部１８を形成する２枚の樹脂フィルムは、第３の薬剤収容部１１２を区画する第２の隔壁弱シール部１２１の他の一辺の一部を挟み込んだ状態で溶着しており、これにより、補助シール部１８と第２の隔壁弱シール部１２１とが、互いに連なっている。
【００２３】
仕切り部１２および周縁強シール部１３は、いずれも、２枚の樹脂フィルムを熱シールし、互いに溶着させて形成されている。このうち、周縁強シール部１３は、２枚の樹脂フィルムが容易に剥離しないように、強く熱シールされる。これに対し、仕切り部１２は、複室容器１０の使用時に各収容部１１間を連通できるように、周縁強シール部１３よりも弱い条件で（具体的には、低温および／または短時間で）熱シールすることにより、形成されている。
【００２４】
なお、図２および図３では、２枚の樹脂フィルムが互いに溶着されている部分、具体的には、第１の隔壁弱シール部１２０と周縁強シール部１３とを、ハッチングを付して示した。また、図２では、第３の薬剤収容部１１２と筒部材１４とを破線で示した。
図１〜図３において、第１の薬剤収容部１１０および第２の薬剤収容部１１１には、無色透明の薬液（色相を有しない透光性薬液）が収容されており、第３の薬剤収容部１１２には、それ自体が有色透明の薬液（色相を有する透光性薬液）であって、第１の薬剤収容部１１０および第２の薬剤収容部１１１に収容されている薬剤との混合により、有色透明の薬液を生成する薬剤が収容されている。
【００２５】
また、表示部１５には、各薬剤収容部１１に収容されている各薬剤を混合した混合液の色みと同系色の色みからなる表示が付されている。
図１〜図３に示す複室容器１０では、第１の薬剤収容部１１０に収容される薬液が無色透明の薬液であることから、仕切り部１２が開封されていない状態、すなわち、各薬剤収容部１１に収容されている各薬剤が互いに混合されていない状態では、表示部１５の視認性が良好であり、その表示内容を、外部から容易に判別可能である。要するに、仕切り部１２の開封前において、複室容器１０には、仕切り部１２の開封を喚起する「未開封」との表示が、明瞭に表示されている。
【００２６】
また、図１〜図３に示す複室容器１０では、第１の薬剤収容部１１０を押圧して、第１の隔壁弱シール部１２０に対し液圧を付加することにより、第１の隔壁弱シール部１２０が開封され、第１の薬剤収容部１１０と第２の薬剤収容部１１１との間が連通する。さらに、上記の液圧により、第２の薬剤収容部１１１内の補助シール部１８が剥離され、補助シール部１８の剥離と連動して、第３の薬剤収容部１１２の第２の隔壁弱シール部１２１が開封される。すなわち、第１の薬剤収容部１１０の押圧により、第３の薬液収容部１１２と、第１の薬液収容部１１０および第２の薬液収容部１１１との間が連通する。
【００２７】
その結果、薬剤収容部１１内において、各薬剤収容部１１に収容されていた各薬剤が互いに混合され、こうして得られた混合液は、第３の薬剤収容部１１２に収容されていた薬剤によって、有色透明の薬液となる。
それゆえ、各薬剤収容部１１に収容される各薬剤が混合された混合液を表示部１５に重ね合わせたときの表示部１５の視認性は、仕切り部１２の開封前に比べて低下し、表示部１５の表示内容が外部から極めて判別しにくくなるか、または、判別できなくなる。要するに、表示部１５の「未開封」の表示が、複室容器１０内の混合液の色に混じって、外見上消失する。これにより、複室容器１０の使用者は、仕切り部１２の開封が達成されていることを容易に判断できる。
【００２８】
上記したように、図１〜図３に示す複室容器１０によれば、第１の薬剤収容部１１０に設けられている表示部１５の視認性が、互いに隣接する各薬剤収容部１１に収容される各薬剤が混合された混合液を重ね合わせることで、相対的に変化することから、この相対的な変化によって、隣接する収容部１２間の連通処理を喚起することができる。
図１〜図３に示す複室容器１０において、第１の薬剤収容部１１０に収容される薬剤としては、上記したように、例えば、無色透明の薬液が挙げられる。
【００２９】
このような無色透明の薬液としては、例えば、アミノ酸輸液、ブドウ糖輸液、電解質溶液、リン酸含有液、カルシウム含有液、ビタミン（但し、ビタミンＢ２を除く。）含有液などが挙げられる。これら無色透明の薬液は、第１の薬剤収容部１１０に、単独で収容されていてもよく、また、互いに混合した状態で保存しても変質を生じない薬液の組合せであれば、２種以上の薬剤の混合液が収容されていてもよい。
【００３０】
また、図１〜図３に示す複室容器１０において、第２の薬剤収容部１１１に収容される薬剤としては、上記したように、例えば、無色透明の薬液が挙げられ、具体的には、上記したのと同様の無色透明の薬液が挙げられる。さらに、これら薬液は、第１の薬剤収容部１１０に、単独で収容されていてもよく、また、互いに混合した状態で保存しても変質を生じない薬液の組合せであれば、２種以上が混合して収容されていてもよい。
【００３１】
また、第２の薬剤収容部１１１に収容される薬剤は、第１の薬剤収容部１１０に収容されている無色透明の薬液によって溶解可能な固形状の薬剤（例えば、粉剤、顆粒剤などの固形剤など）であってもよい。
このような固形状の薬剤としては、例えば、アガルシダーゼベータ、アシクロビル、エポプロステノールナトリウム、塩酸セフォゾプラン、塩酸セフェピム、塩酸セフォチアム、塩酸セフメノキシム、塩酸ニフェカラント、塩酸バンコマイシン、オザグレルナトリウム、カルモナムナトリウム、ガンシクロビル、臭化ベクロニウム、スルバクタムナトリウム、セフォジジムナトリウム、セフォトリアキソンナトリウム、セフスロジンナトリウム、セフタジム、セフチゾキシム、セフトリアキソンナトリウム、セフピラミドナトリウム、セフブペラゾンナトリウム、セフメタゾールナトリウム、トシル酸スルタミシリン、人免疫グロブリン、フロキモセフナトリウム、ホスホマイシンナトリウム、メルファラン、ラタモキセフナトリウム、硫酸セフピロム、リン酸フルダラビンなどが挙げられる。これら固形状の薬剤は、第２の薬剤収容部１１１に、単独で収容されていてもよく、また、互いに混合した状態で保存しても変質を生じない薬剤の組合せであれば、２種以上が混合して収容されていてもよい。
【００３２】
また、第２の薬剤収容部１１１に収容される薬剤は、第１の薬剤収容部１１０に収容されている無色透明の薬液と混合されたときに、その薬液の色味の変化（着色）や透光性の低下を伴わない薬剤であること、または、第１の薬剤収容部１１０に収容されている無色透明の薬液に溶解されたときに、その溶解液に着色や透光性の低下を引き起こすことがない薬剤であることが好ましい。
【００３３】
第２の薬剤収容部１１１に収容される薬剤と、第１の薬剤収容部１１０に収容される薬剤との混合により、混合液の着色や透光性の低下が生じると、これにより、表示部１５の視認性が低下し、仕切り部１２の開封が完全に達成されていることを誤認するおそれがある。これに対し、第１の薬剤収容部１１０と第２の薬剤収容部１１１との連通によって、混合液の着色や透光性の低下が生じないときは、万一、第３の薬液収容部１１２の第２の隔壁弱シール部１２１が開封されず、第１の薬剤収容部１１０および第２の薬剤収容部１１１と、第３の薬液収容部１１２との間が連通されていない状態であっても、表示部１５によって、連通処理が達成されていないことに関する注意を、明確に喚起することができる。
【００３４】
上記の実施形態によれば、第１の薬剤収容部１１０に収容される薬剤と、第２の薬剤収容部１１１に収容される薬剤とが、互いに混合した状態で収容すれば変質を生じ得る薬剤の組合せである場合に、これら薬剤が、第１の薬剤収容部１１０と第２の薬剤収容部１１１とに分けて収容されることから、それぞれを安定して保存でき、さらに、使用時には、簡易にかつ無菌的に混合することができる。
【００３５】
互いに混合した状態で収容すれば変質を生じ得る薬剤の組合せとしては、例えば、アミノ酸輸液とブドウ糖輸液との組合せ、リン酸含有液とカルシウム含有液との組合せなどが挙げられる。
図１〜図３に示す複室容器１０において、第３の薬剤収容部１１２に収容される薬剤としては、上記したように、例えば、有色透明の薬液が挙げられる。
【００３６】
このような有色透明の薬液としては、例えば、ビタミンＢ２剤の溶解液（例えば、リン酸リボフラビンナトリウム水溶液など）、インドシアニングリーンの溶解液、フェノールスルホンフタレインの溶解液、インディゴカルミンの溶解液などが挙げられる。
ビタミンＢ２剤の溶解液は、黄色透明の薬液（黄色の透光性薬液）であって、第１の薬剤収容部１１０に収容される薬液および第２の薬剤収容部１１１に収容される薬剤との混合により、黄色透明の薬液を形成し得る薬剤である。また、インドシアニングリーンの溶解液は、暗緑青色透明の薬液（暗緑青色の透光性薬液）であって、第１の薬剤収容部１１０に収容される薬液および第２の薬剤収容部１１１に収容される薬剤との混合により、暗緑青色透明の薬液を形成し得る薬剤である。フェノールスルホンフタレインの溶解液は、赤色透明の薬液（赤色の透光性薬液）であって、第１の薬剤収容部１１０に収容される薬液および第２の薬剤収容部１１１に収容される薬剤との混合により、赤色透明の薬液を形成し得る薬剤である。インディゴカルミンの溶解液は、青色透明の薬液（青色の透光性薬液）であって、第１の薬剤収容部１１０に収容される薬液および第２の薬剤収容部１１１に収容される薬剤との混合により、青色透明の薬液を形成し得る薬剤である。
【００３７】
図１〜図３に示す複室容器１０において、第３の薬剤収容部１１２に収容される有色透明の薬液が、黄色透明の薬液（例えば、ビタミンＢ２の溶解液）である場合には、例えば、表示部１５の「未開封」の表示を、色相が黄色の表示とすればよい。この場合、仕切り部１２の開封によって、表示部１５の視認性が低下する。
また、第３の薬剤収容部１１２に収容される有色透明の薬液が、暗緑青色透明の薬液（例えば、インドシアニングリーンの溶解液）である場合には、例えば、表示部１５の「未開封」の表示を、色相が緑色や青色の表示とすればよい。この場合も、仕切り部１２の開封によって、表示部１５の視認性が低下する。
【００３８】
また、第３の薬剤収容部１１２に収容される有色透明の薬液が、例えば、黄色透明の薬液である場合において、表示部１５の「未開封」の表示は、例えば、「未」の文字が黄色で表示され、かつ、「開封」の文字が薄い赤色で表示されていてもよい。この場合、仕切り部１２の開封前において、複室容器１０には、仕切り部１２の開封を喚起する「未開封」との表示が、明瞭に表示される。一方、仕切り部１２の開封後においては、各薬剤収容部１１に収容されていた薬剤を混合した混合液が、全体的に黄色みを帯びることで、表示部１５の「未開封」の表示のうち、「未」の表示が判別できなくなる。一方、「開封」の表示は、上記混合液を通じて視認される色がオレンジ色に変化するものの、判別可能な状態である。それゆえ、この場合には、仕切り部１２の開封後に、「開封」との表示を視認できる。
【００３９】
また、第３の薬剤収容部１１２に収容される薬剤は、第１の薬剤収容部１１０および第２の薬剤収容部１１１に収容される薬剤との混合により、不透明な薬液（非透光性の薬液）を生成するものであってもよい。より具体的に、第３の薬剤収容部１１２に収容される薬剤は、それ自体が不透明な薬液であってもよく、また、第１の薬剤収容部１１０に収容される無色透明の薬液と第２の薬剤収容部１１１に収容される薬剤とからなる混合液との混合によって透光性が失われ、不透明な薬液を生成する薬剤であってもよい。
【００４０】
この場合、仕切り部１２の開封後においては、各薬剤収容部１１に収容されていた薬剤を混合した混合液が、全体的に透光性が失われた薬液となることで、表示部１５の表示の視認性が低下し、具体的には、表示部１５の表示の判別が不可能になる。また、これにより、仕切り部１２の開封が達成されていることを容易に判断できる。
上記した、それ自体が不透明な薬液としては、例えば、脂肪乳剤などが挙げられる。
【００４１】
なお、上記の不透明な薬液のうち、脂肪乳剤は、電解質溶液と混合した状態で保存することで、脂肪分の凝集を生じることから、脂肪乳剤と電解質溶液とを同一の容器に収容、保存させる場合には、例えば、無色透明の薬液である電解質溶液を第１の薬剤収容部１１０に収容させ、脂肪乳剤を第２の薬剤収容部１１１に収容させることが好ましい。
なお、各薬剤収容部１１に収容される薬剤の組合せとしては、特に限定されないが、例えば、第１の薬剤収容部１１０および第２の薬剤収容部１１１に収容される薬剤が、それぞれアミン酸輸液とブドウ糖輸液であり、第３の薬剤収容部１１２に収容される薬剤が、ビタミンＢ２剤の溶解液である組合せ、例えば、第１の薬剤収容部１１０および第２の薬剤収容部１１１に収容される薬剤が、それぞれリン酸含有液とカルシウム含有液であり、第３の薬剤収容部１１２に収容される薬剤が、ビタミンＢ２剤の溶解液である組合せ、などが挙げられる。
【００４２】
図１〜図３に示す複室容器１０において、表示部１５は、例えば、「未開封」などの文字が表示された透明のシール１５０を、樹脂フィルムの外表面に貼付して形成されたものであってもよく、また、薬剤収容部１１を形成する樹脂フィルムの外表面に、直接に印刷または着色して形成されたものであってもよい。
表示部１５の表示は、図１に示す表示に限定されず、例えば、「開封して下さい」、「ＵＮＯＰＥＮ」などの表示を適宜選択することができる。
【００４３】
また、表示部１５の表示は、仕切り部１２の開封を喚起させる表示以外に、例えば、仕切り部１２の開封の完了を示す表示であってもよい。但し、表示部１５が、仕切り部１２の開封後、各薬剤収容部１１に収容される各薬剤が混合された混合液が重ね合わされることで、視認性が低下するものであるときは、仕切り部１２の開封を喚起させる表示であることが好ましい。
【００４４】
図４は、本考案の複室容器の他の実施形態を示す正面図である。なお、以下の説明において、複数の実施形態を通じて同一または同種の部分には、同一の符号を示す。
図４において、この複室容器２０は、２枚の樹脂フィルムによって区画され、薬剤が収容される２つの薬剤収容部２１と、互いに隣接する各薬剤収容部間に設けられ、互いに隣接する各薬剤収容部の間を開封可能に封止する仕切り部１２と、周縁に設けられ、２枚の樹脂フィルムが互いに溶着されている周縁強シール部１３と、各薬剤収容部２１に収容される各薬剤が混合された混合液を複室容器１０から排出するために、周縁強シール部１３において、２枚の樹脂フィルム間に挟みこんで固定される筒部材１４と、２つの薬剤収容部２１のうち、筒部材１４に連通している第１の薬剤収容部２１０において、２枚の樹脂フィルムのいずれか一方の樹脂フィルムの外表面に設けられている表示部１５と、を備えている。
【００４５】
２つの薬剤収容部２１は、筒部材１４に連通している第１の薬剤収容部２１０と、第１の薬剤収容部２１０に隣接している第２の薬剤収容部２１１とからなっている。また、第１の薬剤収容部２１０と第２の薬剤収容部２１１との隣接方向１６と直交する幅方向１７において互いに対向する、一対の周縁強シール部１３０間には、仕切り部（隔壁弱シール部）１２が架設されており、第１の薬剤収容部２１０と第２の薬剤収容部２１１とは、この仕切り部（隔壁弱シール部）１２によって区画されている。
【００４６】
図４において、第１の薬剤収容部２１０には、無色透明の薬液が収容されており、第２の薬剤収容部２１１には、固形状の薬剤であって、第１の薬剤収容部２１０に収容されている無色透明の薬液との混合により、有色透明の薬液を生成する薬剤が収容されている。
また、表示部１５には、各薬剤収容部２１に収容されている各薬剤、すなわち、第１の薬剤収容部２１０に収容されている無色透明の薬液と、第２の薬剤収容部２１１に収容されている固形状の薬剤と、を混合した混合液の色みと同系色の色みからなる表示が付されている。
【００４７】
図４に示す複室容器２０では、第１の薬剤収容部２１０に収容される薬液が無色透明の薬液であることから、仕切り部１２が開封されていない状態、すなわち、各薬剤収容部２１に収容されている各薬剤が互いに混合されていない状態では、表示部１５の視認性が良好であり、その表示内容を、外部から容易に判別可能である。要するに、仕切り部１２の開封前において、複室容器２０には、仕切り部１２の開封を喚起する「未開封」との表示が、明瞭に表示されている。
【００４８】
また、図４に示す複室容器２０では、第１の薬剤収容部２１０を押圧して、仕切り部１２に対し液圧を付加することにより、仕切り部１２が開封されて、第１の薬剤収容部２１０と第２の薬剤収容部２１１との間が連通する。
その結果、薬剤収容部２１内において、各薬剤収容部２１に収容されていた各薬剤が互いに混合され、こうして得られた混合液は、第２の薬剤収容部２１１に収容されていた薬剤によって、有色透明の薬液となる。
【００４９】
それゆえ、各薬剤収容部２１に収容される各薬剤が混合された混合液を表示部１５に重ね合わせたときの表示部１５の視認性は、仕切り部１２の開封前に比べて低下し、表示部１５の表示内容が外部から極めて判別しにくくなるか、または、判別できなくなる。要するに、表示部１５の「未開封」の表示が、複室容器２０内の混合液の色に混じって、外見上消失する。これにより、複室容器２０の使用者は、仕切り部１２の開封が達成されていることを容易に判断できる。
【００５０】
上記したように、図４に示す複室容器２０によれば、第１の薬剤収容部２１０に設けられている表示部１５の視認性が、第１の薬剤収容部２１０および第２の薬剤収容部２１１に収容される各薬剤が混合された混合液を重ね合わせることで、相対的に変化することから、この相対的な変化によって、隣接する収容部１２間の連通処理を喚起することができる。
【００５１】
図４に示す複室容器２０において、第１の薬剤収容部２１０に収容される無色透明の薬液としては、上記したのと同様の無色透明の薬液が挙げられる。
第２の薬剤収容部２１１に収容される固形状の薬剤は、固形状の薬剤（例えば、粉剤、顆粒剤などの固形剤など）であり、第１の薬剤収容部２１０に収容されている無色透明の薬液との混合によって有色透明の薬液を生成する薬剤であること以外は、特に限定されない。具体的には、例えば、上記した有色透明の薬液において例示した薬剤（すなわち、例えば、ビタミンＢ２、インドシアニングリーン、フェノールスルホンフタレイン、インディゴカルミンなど。）や、塩酸ドキソルビシン、塩酸アムルビシン、塩酸エピルビシン、ポルフィマーナトリウムなどが挙げられる。これら固形状の薬剤は、第２の薬剤収容部２１１に、単独で収容されていてもよく、また、互いに混合した状態で保存しても変質を生じない薬剤の組合せであれば、２種以上が混合して収容されていてもよい。
【００５２】
また、第２の薬剤収容部２１１に収容される薬剤としては、例えば、有色透明の薬液や、第１の薬剤収容部２１０に収容される無色透明の薬液との混合により、不透明な薬液を生成する薬剤（すなわち、それ自体が不透明な薬液や、第１の薬剤収容部２１０に収容される薬液との混合によって透光性が失われ、不透明な薬液を生成する薬剤など）が挙げられる。
【００５３】
有色透明の薬液としては、上記したのと同様の有色透明の薬液が挙げられる。
また、それ自体が不透明な薬液としては、上記したのと同様の不透明な薬液が挙げられる。
なお、各薬剤収容部２１に収容される薬剤の組合せとしては、特に限定されないが、例えば、第１の薬剤収容部２１０に収容される薬剤が、ブドウ糖輸液であり、第２の薬剤収容部２１１に収容される薬剤が、塩酸エピルビシンである組合せ、例えば、第１の薬剤収容部２１０に収容される薬剤が、ブドウ糖輸液であり、第２の薬剤収容部２１１に収容される薬剤が、ビタミンＢ２剤の溶解液である組合せ、例えば、第１の薬剤収容部２１０に収容される薬剤が、電解質溶液であり、第２の薬剤収容部２１１に収容される薬剤が、脂肪乳剤である組合せ、などが挙げられる。
【００５４】
図５は、本考案の複室容器のさらに他の実施形態を示す正面図である。
図５において、この複室容器３０は、２枚の樹脂フィルムによって区画され、薬剤が収容される２つの薬剤収容部３１と、互いに隣接する各薬剤収容部間に設けられ、互いに隣接する各薬剤収容部の間を開封可能に封止する仕切り部１２と、周縁に設けられ、２枚の樹脂フィルムが互いに溶着されている周縁強シール部１３と、各薬剤収容部２１に収容される各薬剤が混合された混合液を複室容器３０から排出するために、周縁強シール部１３において、２枚の樹脂フィルム間に挟みこんで固定される筒部材１４と、２つの薬剤収容部３１のうち、筒部材１４に連通している第１の薬剤収容部３１０において、２枚の樹脂フィルムのいずれか一方の樹脂フィルムの外表面に設けられている表示部１５と、を備えている。
【００５５】
２つの薬剤収容部３１は、筒部材１４に連通している第１の薬剤収容部３１０と、第１の薬剤収容部３１０内に配置された状態で、第１の薬剤収容部３１０と互いに隣接している第２の薬剤収容部３１１と、からなっている。この第２の薬剤収容部３１１は、仕切り部（隔壁弱シール部）１２によって区画され、平面視略矩形状に形成されている。第２の薬剤収容部３１１を区画する仕切り部１２の一辺は、隣接方向１６において互いに対向する一対の周縁強シール部１３１，１３２のうち、筒部材１４と連通している側の周縁強シール部１３２と対向している周縁強シール部１３１において、複室容器３０を形成する２枚の樹脂フィルムによって挟み込まれた状態で、固定されている。さらに、第１の薬剤収容部３１０内には、複室容器３０を形成する２枚の樹脂フィルムが互いに溶着された補助シール部１８が設けられている。この補助シール部１８を形成する２枚の樹脂フィルムは、第２の薬剤収容部３１１を区画する仕切り部（隔壁弱シール部）１２の他の一辺の一部を挟み込んだ状態で溶着しており、これにより、補助シール部１８と仕切り部１２とが、互いに連なっている。
【００５６】
図５において、第１の薬剤収容部３１０には、無色透明の薬液が収容されており、第２の薬剤収容部３１１には、有色透明の薬液が収容されている。
また、表示部１５には、各薬剤収容部３１に収容されている各薬剤を混合した混合液の色みと同系色の色みからなる表示が付されている。
図５に示す複室容器３０では、第１の薬剤収容部３１０に収容される薬液が無色透明の薬液であることから、仕切り部１２が開封されていない状態、すなわち、各薬剤収容部３１に収容されている各薬剤が互いに混合されていない状態では、表示部１５の視認性が良好であり、その表示内容を、外部から容易に判別可能である。要するに、仕切り部１２の開封前において、複室容器３０には、仕切り部１２の開封を喚起する「未開封」との表示が、明瞭に表示されている。
【００５７】
また、図５に示す複室容器３０では、第１の薬剤収容部３１０を押圧して、仕切り部１２に対し液圧を付加することにより、仕切り部１２が開封され、第１の薬剤収容部３１０と第２の薬剤収容部３１１との間が連通する。
その結果、薬剤収容部３１内において、各薬剤収容部３１に収容されていた各薬剤が互いに混合され、こうして得られた混合液は、第２の薬剤収容部３１１に収容されていた薬剤によって、有色透明の薬液となる。
【００５８】
それゆえ、各薬剤収容部３１に収容される各薬剤が混合された混合液を、表示部１５に重ね合わせたときの表示部１５の視認性は、仕切り部１２の開封前に比べて低下し、表示部１５の表示内容が外部から極めて判別しにくくなるか、または、判別できなくなる。要するに、表示部１５の「未開封」の表示が、複室容器３０内の混合液の色に混じって、外見上消失する。これにより、複室容器３０の使用者は、仕切り部１２の開封が達成されていることを視覚的にかつ容易に判断することができる。
【００５９】
図５に示す複室容器３０において、第１の薬剤収容部３１０に収容される無色透明の薬液としては、上記したのと同様の無色透明の薬液が挙げられる。
また、第２の薬剤収容部３１１に収容される有色透明の薬液としては、上記したのと同様の有色透明の薬液が挙げられる。
第２の薬剤収容部３１１に収容される薬剤は、第１の薬剤収容部３１０に収容される無色透明の薬液との混合により、有色透明の薬液を生成するものであってもよい。
【００６０】
また、第２の薬剤収容部３１１に収容される薬剤は、第１の薬剤収容部３１０に収容される無色透明の薬液との混合により、不透明な薬液を生成するものであってもよい。
それ自体が不透明な薬液としては、上記したのと同様の不透明な薬液が挙げられる。
なお、各薬剤収容部３１に収容される薬剤の組合せとしては、特に限定されないが、例えば、第１の薬剤収容部３１０に収容される薬剤が、ブドウ糖輸液であり、第２の薬剤収容部３１１に収容される薬剤が、ビタミンＢ２剤の溶解液である組合せ、例えば、第１の薬剤収容部３１０に収容される薬剤が、注射用蒸留水であり、第２の薬剤収容部３１１に収容される薬剤が、インドシアニングリーンである組合せ、例えば、第１の薬剤収容部３１０に収容される薬剤が、注射用蒸留水であり、第２の薬剤収容部３１１に収容される薬剤が、フェノールスルホンフタレインである組合せ、例えば、第１の薬剤収容部３１０に収容される薬剤が、注射用蒸留水であり、第２の薬剤収容部３１１に収容される薬剤が、インディゴカルミンである組合せ、例えば、第１の薬剤収容部３１０に収容される薬剤が、ブドウ糖であり、第２の薬剤収容部３１１に収容される薬剤が、塩酸エピルビシンである組合せ、などが挙げられる。
【００６１】
図６は、本考案の複室容器のさらに他の実施形態を示す正面図であり、図７は、図６に示す複室容器４０について、仕切り部１２の開封後の状態を示す正面図である。
図６において、この複室容器４０は、２枚の樹脂フィルムによって形成され、薬剤が収容される３つの薬剤収容部１１と、互いに隣接する各薬剤収容部１１間に設けられ、互いに隣接する各薬剤収容部１１の間を開封可能に封止する仕切り部１２と、周縁に設けられ、２枚の樹脂フィルムが互いに溶着されている周縁強シール部１３と、各薬剤収容部１１に収容される各薬剤が混合された混合液を複室容器１０から排出するために、周縁強シール部１３において、２枚の樹脂フィルム間に挟みこんで固定される筒部材１４と、３つの薬剤収容部１１のうち第３の薬剤収容部１１２の表面に設けられている表示部１５１と、を備えている。
【００６２】
３つの薬剤収容部１１、すなわち、第１の薬剤収容部１１０と、第２の薬剤収容部１１１と、第３の薬剤収容部１１２とは、いずれも、図１に示す複室容器１０の場合と同様に形成されている。
第１の薬剤収容部１１０と第２の薬剤収容部１１１とは、互いに隣接しており、第１の隔壁弱シール部１２０（仕切り部１２）によって区画されている。また、第３の薬剤収容部１１２は、第２の薬剤収容部１１１内に配置された状態で、第２の薬剤収容部１１と互いに隣接している。また、第２の隔壁弱シール部１２１によって区画され、平面視略矩形状に形成されている。
【００６３】
第１の薬剤収容部１１０と第２の薬剤収容部１１１との間を開封可能に封止する仕切り部１２（第１の隔壁弱シール部１２０）、第２の薬剤収容部１１１と第３の薬剤収容部１１２との間を開封可能に封止する仕切り部１２（第２の隔壁弱シール部１２１）、周縁強シール部１３のうち、幅方向１７において互いに対向する一対の周縁強シール部１３０および隣接方向１６において互いに対向する一対の周縁強シール部１３１，１３２、ならびに、複室容器１０を形成する２枚の樹脂フィルムが互いに溶着された補助シール部１８については、いずれも、図１に示す複室容器１０の場合と同様に形成されている。
【００６４】
図６において、第１の薬剤収容部１１０および第２の薬剤収容部１１１には、無色透明の薬液（色相を有しない透光性薬液）が収容されており、第３の薬剤収容部１１２には、それ自体が有色透明の薬液（色相を有する透光性薬液）であって、第１の薬剤収容部１１０および第２の薬剤収容部１１１に収容されている薬剤との混合により、有色透明の薬液を生成する薬剤が収容されている。
【００６５】
また、表示部１５１には、第３の薬剤収容部１１２に収容されている薬剤の色みと同系色の色みからなる表示が付されている。
図６および図７に示す複室容器４０では、第３の薬剤収容部１１２に収容される薬液が有色透明の薬液であることから、仕切り部１２が開封されていない状態（図６参照）、すなわち、各薬剤収容部１１に収容されている各薬剤が互いに混合されていない状態では、上記有色透明の薬液と同系色の色味が付された表示部１５１については、その視認性が不良であり、その表示内容を、外部から判別することが困難である。
【００６６】
また、図６および図７に示す複室容器４０では、第１の薬剤収容部１１０を押圧して、第１の隔壁弱シール部１２０に対し液圧を付加することにより、第１の隔壁弱シール部１２０が開封され、第１の薬剤収容部１１０と第２の薬剤収容部１１１との間が連通する。さらに、上記の液圧により、第２の薬剤収容部１１１内の補助シール部１８が剥離され、補助シール部１８の剥離と連動して、第３の薬剤収容部１１２の第２の隔壁弱シール部１２１が開封される。すなわち、第１の薬剤収容部１１０の押圧により、第３の薬液収容部１１２と、第１の薬液収容部１１０および第２の薬液収容部１１１との間が連通する。
【００６７】
その結果、薬剤収容部１１内において、各薬剤収容部１１に収容されていた各薬剤が互いに混合され、こうして得られた混合液は、第３の薬剤収容部１１２に収容されていた有色透明の薬液の色味が、他の２つの薬剤収容部１１０，１１１に収容されていた無色透明の薬液によって希釈され、その色の彩度が低下した状態となる。
それゆえ、各薬剤収容部１１に収容される各薬剤が混合された混合液を表示部１５１に重ね合わせたときの表示部１５１の視認性は、仕切り部１２の開封前に比べて向上し、表示部１５１の表示内容が外部から判別しやすくなる。要するに、表示部１５１の「ＯＰＥＮ」の表示が、複室容器１０内の混合液の色味の変化（彩度の低下）によって、外見上明瞭となる。これにより、複室容器１０の使用者は、仕切り部１２の開封が達成されていることを容易に判断できる。
【００６８】
上記したように、図６および図７に示す複室容器４０によれば、第１の薬剤収容部１１０に設けられている表示部１５１の視認性が、互いに隣接する各薬剤収容部１１に収容される各薬剤が混合された混合液を重ね合わせることで、相対的に変化することから、この相対的な変化によって、隣接する収容部１２間の連通処理を喚起することができる。
図６および図７に示す複室容器４０において、第１の薬剤収容部１１０に収容される薬剤としては、上記したように、例えば、無色透明の薬液が挙げられる。無色透明の薬液としては、上記したのと同様の薬剤が挙げられ、これら無色透明の薬液は、第１の薬剤収容部１１０に、単独で収容されていてもよく、また、互いに混合した状態で保存しても変質を生じない薬液の組合せであれば、２種以上の薬剤の混合液が収容されていてもよい。
【００６９】
また、図６および図７に示す複室容器４０において、第２の薬剤収容部１１１に収容される薬剤としては、上記したように、例えば、無色透明の薬液が挙げられ、具体的には、上記したのと同様の無色透明の薬液が挙げられる。さらに、これら薬液は、第１の薬剤収容部１１０に、単独で収容されていてもよく、また、互いに混合した状態で保存しても変質を生じない薬液の組合せであれば、２種以上が混合して収容されていてもよい。
【００７０】
また、第２の薬剤収容部１１１に収容される薬剤は、第１の薬剤収容部１１０に収容されている無色透明の薬液によって溶解可能な固形状の薬剤（例えば、粉剤、顆粒剤などの固形剤など）であってもよい。このような固形状の薬剤としては、上記したのと同様の薬剤が挙げられ、これら固形状の薬剤は、第２の薬剤収容部１１１に、単独で収容されていてもよく、また、互いに混合した状態で保存しても変質を生じない薬剤の組合せであれば、２種以上が混合して収容されていてもよい。
【００７１】
図６および図７に示す複室容器４０において、第３の薬剤収容部１１２に収容される薬剤としては、上記したように、例えば、有色透明の薬液が挙げられる。有色透明の薬液としては、上記したのと同様の有色透明の薬液が挙げられる。
図６および図７に示す複室容器４０において、表示部１５１の「ＯＰＥＮ」の表示は、第３の薬剤収容部１１２に収容される有色透明の薬液の色相と同系色の表示とすればよい。この場合、表示部１５１の表示は、仕切り部１２の開封前において、視認ができず、または、視認が困難であるのに対し、仕切り部１２の開封により、視認性が向上する。それゆえ、表示部の視認性の変化により、仕切り部１２の開封の有無を容易に確認することができる。
【００７２】
なお、各薬剤収容部１１に収容される薬剤の組合せとしては、特に限定されないが、例えば、第１の薬剤収容部１１０および第２の薬剤収容部１１１に収容される薬剤が、それぞれアミン酸輸液とブドウ糖輸液であり、第３の薬剤収容部１１２に収容される薬剤が、ビタミンＢ２剤の溶解液である組合せ、例えば、第１の薬剤収容部１１０および第２の薬剤収容部１１１に収容される薬剤が、それぞれリン酸含有液とカルシウム含有液であり、第３の薬剤収容部１１２に収容される薬剤が、ビタミンＢ２剤の溶解液である組合せ、などが挙げられる。
【００７３】
図６および図７に示す複室容器４０において、表示部１５１は、例えば、「ＯＰＥＮ」などの文字が表示された透明のシールを、第３の薬剤収容部１１２を形成する樹脂フィルムに貼付して形成されたものであってもよく、また、第３の薬剤収容部１１２を形成する樹脂フィルムに、直接に印刷または着色して形成されたものであってもよい。
表示部１５１の表示は、図６および図７に示す表示に限定されず、例えば、「開封済」、「使用可」などの表示を適宜選択することができる。
【００７４】
本考案は、以上の記載に限定されるものではなく、実用新案登録請求の範囲に記載した事項の範囲において、種々の設計変更を施すことが可能である。
【図面の簡単な説明】
【００７５】
【図１】図１は、本考案の複室容器の一実施形態を示す正面図である。
【図２】図２は、図１に示す複室容器１０を、この複室容器１０を形成する２枚の樹脂フィルムに分解した分解図であって、図１の正面視表側の樹脂フィルムを、図１の背面側から見た分解背面図である。
【図３】図３は、図１に示す複室容器１０を、この複室容器１０を形成する２枚の樹脂フィルムに分解した分解図であって、図１の正面視裏側の樹脂フィルムを、図１の正面側から見た分解正面図である。
【図４】図４は、本考案の複室容器の他の実施形態を示す正面図である。
【図５】図５は、本考案の複室容器のさらに他の実施形態を示す正面図である。
【図６】図６は、本考案の複室容器のさらに他の実施形態を示す正面図である。
【図７】図７は、図６に示す複室容器４０について、仕切り部１２の開封後の状態を示す正面図である。
【符号の説明】
【００７６】
１０，２０，３０，４０  複室容器
１１，２１，３１，１１０，１１１，１１２，２１０，２１１，３１０，３１１  薬剤収容部
１２，１２０，１２１  仕切り部
１３，１３０，１３１，１３２  周縁強シール部
１５，１５１  表示部
【図１】
0003126232.tif 000003
【図２】
0003126232.tif 000004
【図３】
0003126232.tif 000005
【図４】
0003126232.tif 000006
【図５】
0003126232.tif 000007
【図６】
0003126232.tif 000008
【図７】
0003126232.tif 000009